(57)【特許請求の範囲】
【請求項１】
基礎床の上部に配設された鞘管の挿通孔に、水又は湯が通過する通水管を挿通して床板の上部に立ち上げ、通水管の先端と床板の上部に配置された継手部材とを管継手により接続する通水管と継手部材の接続構造において、前記通水管は先端に鞘管の挿通孔を挿通する管継手を装着し、該管継手は鞘管の挿通孔より小径に形成し、通水管と共に鞘管の挿通孔に挿通して、床板の上部で継手部材に接続されることを特徴とする通水管と継手部材の接続構造。
【請求項２】
前記管継手と継手部材は、ワンタッチで接続可能なクリップにより接続されることを特徴とする請求項１記載の通水管と継手部材の接続構造。
【請求項３】
前記鞘管は、床板と基礎床の間でガイド管を結合し、該ガイド管は床板に固定され、該床板の上部に立ち上がる円筒部を備え、前記管継手は継手部材と共にガイド管の円筒部先端に装着されることを特徴とする請求項１又は２記載の通水管と継手部材の接続構造。
【発明の詳細な説明】
【０００１】
【発明の属する技術分野】
本発明は、床板と基礎床の間に配設された鞘管に水又は湯が通過する通水管を挿通し、該通水管の先端を床板の上部に配置された継手部材に接続する、通水管と継手部材の接続構造に関するものである。
【０００２】
【従来の技術】
一般に集合住宅，戸建住宅等において、洗面台，流し台，浴室，トイレ，洗濯機等の水栓へ給水，給湯配管の施工を行なう場合、建物の躯体工事の際に水，湯の各ヘッダーと水栓との間で蛇腹状の鞘管をタコ足状に配設しておき、設備工事の際にこの鞘管内に水，又は湯用の通水管を挿通させ、ヘッダーと水栓を接続する鞘管工法が行なわれている。この鞘管工法により鞘管に通水管を挿通し、該通水管を床板の上部に立ち上げて床板の上部に配置された継手部材に接続し、該継手部材から水栓へ水又は湯を供給する構造として公知のものに、特開平８−２３２３０８号公報の図１（本願図面の図７）のものがある。この図７について簡単に説明すると、樹脂製の通水管３２は、床板２９と基礎床３０の間に配設され、床板２９に固定した貫通金具３１を挿通させた蛇腹状の鞘管３４に挿通して保護されながら、床板２９の上部に立ち上げ、床上で装着した袋ナット３３により継手部材３５に接続しており、該継手部材３５はハンドル３７の操作で水又は湯の吐水，止水及び流量調節の可能な止水弁３６が収容され、この通水管３２を通過した水又は湯は、継手部材３５から該継手部材３５の上端に接続したパイプ３８を介して流し台２８の水栓３９へ供給されるものである。
【０００３】
上記のものは、通水管は蛇腹状の鞘管に挿通させ、先端を床上で鞘管から露出させて継手部材に接続するものであるが、通水管は鞘管に挿通させる際に、先端に鞘管内の異物が付着したり、先端面が保護管の内周面に形成されている凹凸部に接触した際に傷が付く恐れがあり、通水管に異物が付着した状態のまま、または傷が付いている状態のままで継手部材に接続すると、その異物又は傷が原因で水密に接続することができず、接続部から水漏れが発生しやすく、床板等を水浸しとして拡大損害となる恐れがあった。
【０００４】
【発明が解決しようとする課題】
本発明が解決しようとする課題は、基礎床の上部に配設された鞘管の挿通孔に、通水管を挿通して床板の上部に立ち上げ、通水管の先端と床板の上部に配置された継手部材とを管継手により接続する通水管と継手部材の接続構造において、通水管を鞘管内に挿通させる際に、通水管に異物が付着したり傷が付かないようにして、水漏れの発生を防止することである。
【０００５】
【課題を解決するための手段】
本発明は請求項１では、基礎床の上部に配設された鞘管の挿通孔に、水又は湯が通過する通水管を挿通して床板の上部に立ち上げ、通水管の先端と床板の上部に配置された継手部材とを管継手により接続する通水管と継手部材の接続構造において、前記通水管は先端に鞘管の挿通孔を挿通する管継手を装着し、該管継手は鞘管の挿通孔より小径に形成し、通水管と共に鞘管の挿通孔に挿通して、床板の上部で継手部材に接続されるものである。
【０００６】
請求項２では、前記管継手と継手部材は、ワンタッチで接続可能なクリップにより接続されるものである。
【０００７】
請求項３では、前記鞘管は、床板と基礎床の間でガイド管を結合し、該ガイド管は床板に固定され、該床板の上部に立ち上がる円筒部を備え、前記管継手は継手部材と共にガイド管の円筒部先端に装着されるものである。
【０００８】
【発明の実施の形態】
以下、本発明の実施の形態を図に基づいて詳細に説明する。
本発明の通水管と継手部材の接続構造は、トイレ，洗面台，流し台，浴室，洗濯機等に適用されるものであり、本実施例ではトイレに適用した場合を示す。図１に示すように床板１の上部には便器３が固定されており、該便器３の後方には内部に便器洗浄用の水を収容したロータンク４が設置されている。該ロータンク４の側部には、給水源から水を水栓Ａ及びロータンク４へ供給するための給水管５を取り付け、該給水管５は床板１に向けて略垂直方向に延設され、下部先端に継手部材６を接続し、該継手部材６の他端は鞘管７により被覆された通水管８が接続されるものである。
【０００９】
前記水栓Ａ及びロータンク４へ水を供給するための通水管８は、容易に折曲できる合成樹脂製の架橋ポリエチレン管，架橋ポリプロピレン管等で形成し、上流側を図示しないヘッダーに接続し、下流側の先端には後述する管継手９を装着し、この通水管８は先端に管継手９を装着した状態で、基礎床２の上部に予め配設された蛇腹状の鞘管７の挿通孔７ｂに挿通することで、該鞘管７により被覆されて外部から保護されるものであり、通水管８は床板１の貫通孔１ａから上部に向けて垂直方向に立ち上げ、床板１の上部で管継手９と共に鞘管７から露出させるものである。
【００１０】
前記継手部材６は図２に示すように、一端に通水管８に連通する入口部６ａが、他端に給水管５に連通する出口部６ｄが形成され、この入口部６ａと出口部６ｄの間には止水弁６ｅが収容され、該止水弁６ｅと連繋したハンドル６ｆを回転操作することで、前記通水管８から給水管５へ供給される水の止水，通水及び流量調節を可能としたものであり、入口部６ａの先端には、後述するクリップ１３を装着するためのフランジ６ｂが環状に形成され、内周面にシール用のＯリング６ｃ，６ｃが間隔をおいて複数個装着されている。なお、本実施例の継手部材は内部に止水弁を収容しているが、逆止弁，流量調節弁等を収容してもよい。
【００１１】
前記管継手９は通水管８の先端が接続される略円筒状の継手本体１０と、該継手本体１０に螺着するナット１１と、該ナット１１と継手本体１０の間に配設された割りリング１２とを備え、前記鞘管７の挿通孔７ｂより小径に形成することで、挿通孔７ｂを容易に挿通可能としている。
【００１２】
前記継手本体１０は略円筒状で、一方の先端に前記継手部材６に形成された環状のフランジ６ｂと略同一形状のフランジ１０ａを形成し、該フランジ１０ａの内周側には、前記継手部材６の入口部６ａに水密的に挿入される円筒状の嵌合部１０ｃがフランジ１０ａより突出するように形成され、略中間部の外周面には雄ねじ部１０ｂを形成し、該雄ねじ部１０ｂの内周側には、所定の間隔をおいて前記通水管８より小径に形成した円筒状の案内部１０ｄが形成されている。該案内部１０ｄの先端は雄ねじ部１０ｂより突出し、外周面の先端側には溝孔１０ｅ，１０ｅが軸方向に併設して環状に形成され、該溝孔１０ｅ，１０ｅには同一形状のシール部材１０ｆ，１０ｆがそれぞれ装着されている。
【００１３】
前記シール部材１０ｆは通水管８の内周面に付着した異物の捕捉と水漏れを防止するためのもので、ゴム等の弾性材からなり、通水管８の先端が案内部１０ｄに外嵌されるとシール部材１０ｆは変形し、通水管８の内周面に水密的に密着してシールが確実となるようにしている。
【００１４】
前記ナット１１は内周面に前記継手本体１０の雄ねじ部１０ｂに螺着する雌ねじ部１１ａが形成され、該雌ねじ部１１ａの奥には、通水管８が挿入される開口部１１ｂに向かうにつれて徐々に小径にしたテーパー面１１ｃが形成されている。
【００１５】
前記割りリング１２はナット１１のテーパー面１１ｃの内側に挿入されるものであり、軸方向の一部にスリットを形成することで縮径及び拡径が可能で、内周面には通水管８を容易に挿入するためのテーパー面１２ａ、及び通水管８の外周面を押圧し食い込む凹凸状の食い込み溝１２ｂを形成している。
【００１６】
従って割りリング１２は通水管８の挿入時に拡径するので、継手本体１０に容易に挿入させることができるが、通水管８を継手本体１０から引き出そうとする力が加わると、割りリング１２は縮径し、食い込み溝１２ｂが通水管８の外周面に深く食い込み、継手本体１０から引き出せないようにしている。
【００１７】
前記クリップ１３は管継手９の嵌合部１０ｃが継手部材６の入口部６ａに挿入された状態で、継手部材６のフランジ６ｂと管継手９のフランジ１０ａを当接させて両フランジ６ｂ，１０ａを挟持し、両物品をワンタッチで離脱不能に接続することができるものであり、クリップ１３には該クリップ１３の外周面全面を覆うことのできるキャップ１４が装着され、クリップ１３が不用意に管継手９及び継手部材６から外れることがないようにしている。
【００１８】
今、通水管８をロータンク４に取り付けた給水管５下部の継手部材６に接続するには、通水管８を鞘管７に挿通させる前に、通水管８の先端に管継手９を装着する。即ち通水管８の先端を管継手９のナット１１の開口部１１ｂへ挿入し、継手本体１０の案内部１０ｄに外嵌すると、通水管８の内周面はシール部材１０ｆ，１０ｆをスムーズに乗り越えて案内部１０ｄの外周面に密着する。この場合、通水管８は継手本体１０の案内部１０ｄと割りリング１２の間で挟着され、しかも割りリング１２のテーパー面１２ａが通水管８の外周面を押圧し、食い込み溝１２ｂが外周面に食い込み、通水管８を案内部１０ｄの外周面に押圧しているので、シール部材１０ｆ，１０ｆのシールが確実で、ナット１１を緩めないと引き抜くことはできない。
【００１９】
次に通水管８を、先端に装着した管継手９と共に鞘管７の挿通孔７ｂに挿通し、図１に示すように管継手９を鞘管７の上部に立ち上げる。
【００２０】
そして管継手９を継手部材６のフランジ６ｂと管継手９のフランジ１０ａを互いに重ね合わせた状態で、クリップ１３により両フランジ６ｂ，１０ａを挟着して継手部材６と管継手９を結合し、図３に示すようにこのクリップ１３には抜け止め用のキャップ１４を装着する。
【００２１】
以上のように本発明では、通水管は先端に装着した管継手と共に鞘管に挿通させるので、通水管の先端は管継手により保護され鞘管を挿通させる際に通水管は異物が付着したり、鞘管の内周面に接触して傷が付くことがなく、継手本体に接続した際の接続不良による水漏れの発生を防止することができる。
【００２２】
図４乃至図６は本発明の別の実施例であり、この実施例では基礎床２の上部に配設された鞘管７ａは、床板１と基礎床２の間で床板１の貫通孔１ａに向けて立ち上がらせる位置にガイド管１５を結合し、該ガイド管１５は、真鍮，アルミ合金，その他の金属又は硬質の合成樹脂により形成され、床板１の貫通孔１ａに向けて湾曲させた形状で、該貫通孔１ａを貫通する円筒部１５ａを備え、固定部材１５ｄにより床板１に固定されるものである。したがって、通水管８は鞘管７ａの挿通孔７ｃからガイド管１５に挿通され、該ガイド管１５の円筒部１５から上部に立ち上げることができる。
【００２３】
本実施例のガイド管１５は金属又は硬質の合成樹脂により形成されるので、管継手９は支持部材１６と共にガイド管１５の円筒部１５ａの上部先端から挿通孔１５ｂに装着することができるものであり、該挿通孔１５ｂに管継手９を装着するための支持部材１６は、弾性力を有する合成樹脂により形成され、図５に示すように半円筒形に形成した２つの分割体１６ａ，１６ａを向かい合わせてヒンジ１６ｂにより結合し、該ヒンジ１６ｂを中心軸として開閉可能であり、両分割体１６ａ，１６ａを重ね合わせて内側に管継手９が収容される収容室１６ｃが形成され、各分割体１６ａ，１６ａの上端よりやや下方には、外周に向けて突出する係止爪１６ｄ，１６ｄを形成し、該係止爪１６ｄ，１６ｄはガイド管１５の上部先端に穿設した各切欠１５ｃ，１５ｃに係合させることで、支持部材１６は管継手９と共にガイド管１５の挿通孔１５ｂに着脱自在に装着可能である。なお、前記実施例と同一構成については同一符号を付して、説明を省略する。
【００２４】
したがって本実施例では、通水管の先端は管継手により保護され鞘管を挿通させる際に通水管は異物が付着したり、鞘管の内周面に接触して傷が付くことがなく、継手本体に接続した際の接続不良による水漏れの発生を防止することができるだけでなく、ガイド管に管継手及び継手部材を装着することができるので、継手部材を安定した状態で保持することができる。
【００２５】
【発明の効果】
本発明によると、基礎床の上部に配設された鞘管の挿通孔に、水又は湯が通過する通水管を挿通して床板の上部に立ち上げ、通水管の先端と床板の上部に配置された継手部材とを管継手により接続する通水管と継手部材の接続構造において、前記通水管は先端に鞘管の挿通孔を挿通する管継手を装着し、該管継手は鞘管の挿通孔より小径に形成し、通水管と共に鞘管の挿通孔に挿通して、床板の上部で継手部材に接続される。したがって、通水管は先端に管継手を装着した状態で鞘管に挿通するので、通水管は先端に異物が付着したり、保護管の内周面に接触して傷が付くようなことがなく、水漏れの発生を防止し、信頼性の向上を図ることができる。
【００２６】
また前記管継手と継手部材は、ワンタッチで接続可能なクリップにより接続され、施工性を向上させることができる。
【００２７】
さらに、前記鞘管は、床板と基礎床の間でガイド管を結合し、該ガイド管は床板に固定され、該床板の上部に立ち上がる円筒部を備え、前記管継手は継手部材と共にガイド管の円筒部先端に装着されるので、継手部材を安定した状態でガイド管に保持することができる。
【図面の簡単な説明】
【図１】本発明による通水管と継手部材の接続構造をトイレに使用した場合の説明図である。
【図２】通水管の先端に装着した管継手と継手部材の要部縦断面図である。
【図３】図１の通水管を継手部材に接続した状態の説明図である。
【図４】本発明の別の実施例で、通水管と継手部材の接続方法をトイレに使用した場合の説明図である。
【図５】図４の通水管と継手部材の分解説明図である。
【図６】ガイド菅に通水管を挿通させた状態を示す要部縦断面図である。
【図７】従来技術の説明図である。
【符号の説明】
１                      床板
２                      基礎床
６                      継手部材
７，７ａ                鞘管
７ｂ，７ｃ              挿通孔
８                      通水管
９                      管継手
１３                    クリップ
１５                    ガイド管
１５ａ                  円筒部
【図１】
0003963713.tif 000002
【図２】
0003963713.tif 000003
【図３】
0003963713.tif 000004
【図４】
0003963713.tif 000005
【図５】
0003963713.tif 000006
【図６】
0003963713.tif 000007
【図７】
0003963713.tif 000008